【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1の送信ポイント(TP)からの非コヒーレントジョイント送信(NCJT)の第1の部分および前記第1のTPまたは第2のTPからの前記NCJTの第2の部分を受信するための通信構成を受信するステップであって、前記通信構成が、単一のダウンリンク制御情報(DCI)送信において受信される、ステップと、
前記通信構成に少なくとも部分的に基づいて、シングルユーザ多入力多出力(SU-MIMO)送信の第1のコードワードとして前記第1の部分および前記SU-MIMO送信の第2のコードワードとして前記第2の部分を受信するステップと
を備え、
前記DCI送信が、前記第1のコードワードおよび前記第2のコードワードの各々のためのアンテナポート、スクランブリングID、およびレイヤの数を示すためのフィールドであって、
前記第1のTPのみまたは前記第2のTPのみがサービングセルであるとき、レガシーSU-MIMO DCI送信と同じ構造を提供し、
前記第1のTPおよび前記第2のTPの両方がサービングセルであるとき、前記第1のコードワードおよび前記第2のコードワードに任意の利用可能な数の空間レイヤに対するサポートを提供する、
フィールドを備える、方法。
【請求項２】
i)前記第1の部分および前記第2の部分の各々のためのリソースブロックが、整合されたリソースブロックである、
ii)前記第1の部分および前記第2の部分を前記受信するステップが、
前記通信構成に少なくとも部分的に基づいて、前記第1のTPのみからの前記SU-MIMO送信を受信するステップであって、前記SU-MIMO送信が、前記第1のTPから送信された2つの空間レイヤにおける2つのコードワードにフォーマットされる、ステップ
を備える、
iii)前記DCI送信が、前記第1のTPと前記第2のTPの両方から前記NCJTを前記受信することを構成するための、または前記第1のTPからの2つのコードワードの前記受信を構成するための1つまたは複数のパラメータを備える、
iv)前記DCI送信が、前記第1のTPと前記第2のTPの両方から前記NCJTを前記受信することを構成するための、または前記第1のTPからの2つのコードワードの前記受信を構成するための1つまたは複数のパラメータを備え、前記1つまたは複数のパラメータが、前記第1のTPおよび前記第2のTPの各々のための擬似コロケーション(QCL)情報を定義するテーブルへのインデックスを備える、
v)前記DCI送信が、前記第1のTPと前記第2のTPの両方から前記NCJTを前記受信することを構成するための、または前記第1のTPからの2つのコードワードの前記受信を構成するための1つまたは複数のパラメータを備え、前記1つまたは複数のパラメータが、前記第1のTPおよび前記第2のTPの各々のための擬似コロケーション(QCL)情報を定義するテーブルへのインデックスを備え、前記インデックスが、前記テーブル内のQCL情報の組合せを示す情報の複数のビットを備える、
vi)前記アンテナポート、スクランブリングID、およびレイヤの数フィールドが、レガシーSU-MIMO構成内の同じフィールドと同じフォーマットを使用し、前記第1のコードワードと前記第2のコードワードの組合せの空間レイヤの数が、前記レガシーSU-MIMO構成において提供されるものと同じである、
vii)前記アンテナポート、スクランブリングID、およびレイヤの数フィールドが、レガシーSU-MIMO構成内の同じフィールドと同じフォーマットを使用し、前記第1のコードワードと前記第2のコードワードの組合せの空間レイヤの数が、前記レガシーSU-MIMO構成において提供されるものと同じであり、前記アンテナポート、スクランブリングID、およびレイヤの数フィールドにおける前記第1のコードワードおよび前記第2のコードワードが、それぞれ、前記第1のTPおよび前記第2のTPのためのものではなく、それぞれ、前記第2のTPおよび前記第1のTPのためのものであることを示すスワッピングビットを前記アンテナポート、スクランブリングID、およびレイヤの数フィールドがさらに含む、
viii)前記通信構成に少なくとも部分的に基づいて、前記第1のTPおよび前記第2のTPの各々のためのチャネル状態情報(CSI)プロセスを実行するステップ
をさらに備える、または、
ix)前記第1の部分および前記第2の部分を前記受信するステップが、
前記第1の部分および前記第2の部分において復調基準信号(DMRS)を受信するステップ
をさらに備える、請求項1に記載の方法。
【請求項３】
i)前記テーブル内の異なる組合せが、UEが前記第1のTPと前記第2のTPの両方から前記NCJTを受信することになるか、前記UEが前記第1のTPまたは前記第2のTPのうちの1つのみから前記NCJTを受信することになるかを示す、
ii)前記情報の複数のビットが、前記第1のTPと前記第2のTPの両方のための前記QCL情報をジョイント符号化する、または、
iii)前記情報の複数のビットが、前記第1のTPおよび前記第2のTPのための前記QCL情報を別個に指定する2つのフィールドを備える、請求項2の選択肢v)に記載の方法。
【請求項４】
i)前記CSIプロセスが、前記第1のTPがサービングセルであると想定する第1のCSIプロセスと、前記第2のTPが前記サービングセルであると想定する第2のCSIプロセスとを備え、または、
ii)前記CSIプロセスが、前記第1のTPがサービングセルであると想定する第1のCSIプロセスと、前記第2のTPが前記サービングセルであると想定する第2のCSIプロセスと、前記第1のTPと前記第2のTPの両方がサービングセルであると想定する第3のCSIプロセスとを備え、
iii)第1のCSIプロセスおよび第2のCSIプロセスが各々、それぞれ、前記第1のTPおよび前記第2のTPのためのランクインジケータ(RI)、プリコーディング行列インジケータ(PMI)、およびチャネル品質インジケータ(CQI)を含む、請求項2の選択肢viii)に記載の方法。
【請求項５】
i)前記第3のCSIプロセスが、前記第1のTPおよび前記第2のTPの各々のための別個のCSIプロセスをバンドルする、または、
ii)前記第3のCSIプロセスが、前記第1のTPおよび前記第2のTPの各々のための別個のCSIプロセスからの情報をジョイント符号化する、請求項4の選択肢ii)に記載の方法。
【請求項６】
i)前記CSIプロセスにおける前記RIが、最大合計ランクをカバーするように制限される、
ii)第3のCSIプロセスが、前記第1のTPと前記第2のTPの両方がサービングセルであるとき、RI、PMI、およびCQIの2つのセットを含み、前記第1のコードワードおよび前記第2のコードワードに任意の利用可能な数の空間レイヤに対するサポートを提供する、
iii)第3のCSIプロセスが、前記第1のTPと前記第2のTPの両方がサービングセルであるとき、RI、PMI、およびCQIの2つのセットを含み、レガシーSU-MIMO構成において提供されるものと同じである前記第1のコードワードと前記第2のコードワードの組合せの空間レイヤの数に対するサポートを提供する、または、
iv)第3のCSIプロセスが、前記第1のTPと前記第2のTPの両方がサービングセルであるとき、RI、PMI、およびCQIの2つのセットを含み、前記第1のコードワードおよび前記第2のコードワードのためのRI、PMI、およびCQIが、それぞれ、前記第1のTPおよび前記第2のTPのためのものではなく、それぞれ、前記第2のTPおよび前記第1のTPのためのものであることを示すスワッピングビットを前記DCI送信が備える、請求項4の選択肢iii)に記載の方法。
【請求項７】
前記DMRSが、前記NCJTの物理ダウンリンク共有チャネル(PDSCH)送信の合計ランクに基づいて決定されたパターンに従って受信される、または、
第1のランクインジケータ(RI)フィールドが、前記第1のTPのためのDMRSポートを示し、第2のRIフィールドが、前記第2のTPのためのDMRSポートを示す、請求項2の選択肢ix)に記載の方法。
【請求項８】
ワイヤレス通信のための方法であって、
第1の送信ポイント(TP)からユーザ機器(UE)に送信するための非コヒーレントジョイント送信(NCJT)の第1の部分および前記第1のTPまたは第2のTPから前記UEに送信するための前記NCJTの第2の部分を識別するステップと、
単一のダウンリンク制御情報(DCI)送信において前記NCJTを受信するように前記UEを構成するステップと、
フォーマットするステップであって、前記第1の部分をシングルユーザ多入力多出力(SU-MIMO)送信の第1のコードワードとして前記UEにおいて受信され得る第1のコードワードにフォーマットするまたは前記第2の部分を前記SU-MIMO送信の第2のコードワードとして前記UEにおいて受信され得る第2のコードワードにフォーマットするうちの少なくとも1つをする、ステップと、
前記第1の部分または前記第2の部分のうちの前記少なくとも1つを前記UEに送信するステップと
を備え、
前記DCI送信が、前記第1のコードワードおよび前記第2のコードワードの各々のためのアンテナポート、スクランブリングID、およびレイヤの数を示すためのフィールドであって、
前記第1のTPのみまたは前記第2のTPのみがサービングセルであるとき、レガシーSU-MIMO DCI送信と同じ構造を提供し、
前記第1のTPおよび前記第2のTPの両方がサービングセルであるとき、前記第1のコードワードおよび前記第2のコードワードに任意の利用可能な数の空間レイヤに対するサポートを提供する、
フィールドを備える、方法。
【請求項９】
i)前記フォーマットするステップが、
前記UEにおける整合されたリソースブロックを提供するために、前記第1の部分および前記第2の部分の各々のためのリソースブロックを割り振るステップ
をさらに備える、
ii)前記送信するステップが、
第1の空間レイヤにおける前記第1のコードワードにフォーマットされた前記第1の部分および第2の空間レイヤにおける前記第2のコードワードにフォーマットされた前記第2の部分を送信するステップ
をさらに備える、
iii)前記DCI送信が、前記第1のTPと前記第2のTPの両方から前記NCJTを受信するように前記UEを構成するための、あるいは前記第1のTPまたは前記第2のTPのいずれかから2つの空間レイヤにおける2つのコードワードを受信するように前記UEを構成するための1つまたは複数のパラメータを備える、
iv)前記第1のTPおよび前記第2のTPの各々のためのチャネル状態情報(CSI)プロセスを実行するように前記UEを構成するステップ
をさらに備える、
v)前記フォーマットするステップが、
前記第1のTPまたは前記第2のTPのうちの1つまたは複数からの1つまたは複数の基準信号送信の周りで物理ダウンリンク共有チャネル(PDSCH)情報をレートマッチングするステップ
をさらに備える、
vi)前記第1のTPと前記第2のTPの両方のための電力オフセット値の単一のセットに基づいて、前記第1の部分および前記第2の部分のためのリソース要素単位エネルギー(EPRE)を決定するステップ
をさらに備える、
vii)前記第1のTPと前記第2のTPの両方のための電力オフセット値の単一のセットに基づいて、前記第1の部分および前記第2の部分のためのリソース要素単位エネルギー(EPRE)を決定するステップをさらに備え、前記電力オフセット値の単一のセットが、前記第1のTPに関連付けられた電力オフセット値のセットまたは電力オフセット値の固定セットに対応する、または、
viii)前記第1のTPのための電力オフセット値の第1のセットに基づいて、前記第1の部分のための第1のリソース要素単位エネルギー(EPRE)を決定するステップと、
前記第2のTPのための電力オフセット値の第2のセットに基づいて、前記第2の部分のための第2のEPREを決定するステップと
をさらに備える、請求項8に記載の方法。
【請求項１０】
前記1つまたは複数のパラメータが、前記第1のTPおよび前記第2のTPの各々のための擬似コロケーション(QCL)情報を定義するテーブルへのインデックスを備える、請求項9の選択肢ii)に記載の方法。
【請求項１１】
前記PDSCH情報が、前記第1のTPと前記第2のTPの両方の基準信号送信の周りでレートマッチングされる、または、
前記第1のTPから送信された前記PDSCH情報が、前記第1のTPのみの基準信号送信の周りでレートマッチングされる、請求項9の選択肢v)に記載の方法。
【請求項１２】
ワイヤレス通信のための装置であって、
プロセッサと、
前記プロセッサと電子通信しているメモリと、
前記メモリに記憶され、前記プロセッサによって実行されると、
第1の送信ポイント(TP)からの非コヒーレントジョイント送信(NCJT)の第1の部分および前記第1のTPまたは第2のTPからの前記NCJTの第2の部分を受信するための通信構成を受信することであって、前記通信構成が、単一のダウンリンク制御情報(DCI)送信において受信される、ことと、
前記通信構成に少なくとも部分的に基づいて、シングルユーザ多入力多出力(SU-MIMO)送信の第1のコードワードとして前記第1の部分および前記SU-MIMO送信の第2のコードワードとして前記第2の部分を受信することと
を前記装置に行わせるように動作可能である命令と
を備え、
前記DCI送信が、前記第1のコードワードおよび前記第2のコードワードの各々のためのアンテナポート、スクランブリングID、およびレイヤの数を示すためのフィールドであって、
前記第1のTPのみまたは前記第2のTPのみがサービングセルであるとき、レガシーSU-MIMO DCI送信と同じ構造を提供し、
前記第1のTPおよび前記第2のTPの両方がサービングセルであるとき、前記第1のコードワードおよび前記第2のコードワードに任意の利用可能な数の空間レイヤに対するサポートを提供する、
フィールドを備える、装置。
【請求項１３】
ワイヤレス通信のための装置であって、
プロセッサと、
前記プロセッサと電子通信しているメモリと、
前記メモリに記憶され、前記プロセッサによって実行されると、
第1の送信ポイント(TP)からユーザ機器(UE)に送信するための非コヒーレントジョイント送信(NCJT)の第1の部分および前記第1のTPまたは第2のTPから前記UEに送信するための前記NCJTの第2の部分を識別することと、
単一のダウンリンク制御情報(DCI)送信において前記NCJTを受信するように前記UEを構成することと、
フォーマットすることであって、前記第1の部分をシングルユーザ多入力多出力(SU-MIMO)送信の第1のコードワードとして前記UEにおいて受信され得る第1のコードワードにフォーマットするおよび前記第2の部分を前記SU-MIMO送信の第2のコードワードとして前記UEにおいて受信され得る第2のコードワードにフォーマットするうちの少なくとも1つをする、ことと、
前記第1の部分または前記第2の部分のうちの前記少なくとも1つを前記UEに送信することと
を前記装置に行わせるように動作可能な命令と
を備え、
前記DCI送信が、前記第1のコードワードおよび前記第2のコードワードの各々のためのアンテナポート、スクランブリングID、およびレイヤの数を示すためのフィールドであって、
前記第1のTPのみまたは前記第2のTPのみがサービングセルであるとき、レガシーSU-MIMO DCI送信と同じ構造を提供し、
前記第1のTPおよび前記第2のTPの両方がサービングセルであるとき、前記第1のコードワードおよび前記第2のコードワードに任意の利用可能な数の空間レイヤに対するサポートを提供する、
フィールドを備える、装置。
【請求項１４】
ユーザ機器(UE)におけるワイヤレス通信のためのコードを記憶するコンピュータ可読記憶媒体であって、前記コードが、
第1の送信ポイント(TP)からの非コヒーレントジョイント送信(NCJT)の第1の部分および前記第1のTPまたは第2のTPからの前記NCJTの第2の部分を受信するための通信構成を受信することであって、前記通信構成が、単一のダウンリンク制御情報(DCI)送信において受信される、ことと、
前記通信構成に少なくとも部分的に基づいて、シングルユーザ多入力多出力(SU-MIMO)送信の第1のコードワードとして前記第1の部分および前記SU-MIMO送信の第2のコードワードとして前記第2の部分を受信することと
を行うようにプロセッサによって実行可能な命令を備え、
前記DCI送信が、前記第1のコードワードおよび前記第2のコードワードの各々のためのアンテナポート、スクランブリングID、およびレイヤの数を示すためのフィールドであって、
前記第1のTPのみまたは前記第2のTPのみがサービングセルであるとき、レガシーSU-MIMO DCI送信と同じ構造を提供し、
前記第1のTPおよび前記第2のTPの両方がサービングセルであるとき、前記第1のコードワードおよび前記第2のコードワードに任意の利用可能な数の空間レイヤに対するサポートを提供する、
フィールドを備える、コンピュータ可読記憶媒体。
【請求項１５】
第1の送信ポイント(TP)におけるワイヤレス通信のためのコードを記憶するコンピュータ可読記憶媒体であって、前記コードが、
前記第1のTPからユーザ機器(UE)に送信するための非コヒーレントジョイント送信(NCJT)の第1の部分および前記第1のTPまたは第2のTPから前記UEに送信するための前記NCJTの第2の部分を識別することと、
単一のダウンリンク制御情報(DCI)送信において前記NCJTを受信するように前記UEを構成することと、
フォーマットすることであって、前記第1の部分をシングルユーザ多入力多出力(SU-MIMO)送信の第1のコードワードとして前記UEにおいて受信され得る第1のコードワードにフォーマットするおよび前記第2の部分を前記SU-MIMO送信の第2のコードワードとして前記UEにおいて受信され得る第2のコードワードにフォーマットするうちの少なくとも1つをする、ことと、
前記第1の部分または前記第2の部分のうちの前記少なくとも1つを前記UEに送信することと
を行うようにプロセッサによって実行可能な命令を備え、
前記DCI送信が、前記第1のコードワードおよび前記第2のコードワードの各々のためのアンテナポート、スクランブリングID、およびレイヤの数を示すためのフィールドであって、
前記第1のTPのみまたは前記第2のTPのみがサービングセルであるとき、レガシーSU-MIMO DCI送信と同じ構造を提供し、
前記第1のTPおよび前記第2のTPの両方がサービングセルであるとき、前記第1のコードワードおよび前記第2のコードワードに任意の利用可能な数の空間レイヤに対するサポートを提供する、
フィールドを備える、コンピュータ可読記憶媒体。